(57)【要約】【課題】電力線に設置された測定器から測定結果に関するデータを受信するデータ収集中継器に関する異常の発生を効果的に検出することが可能な配電網モニタリングシステムおよび配電網モニタリング装置を提供する【解決手段】配電網モニタリングシステム１は、複数のＣＴセンサ７と、データ収集中継器６と、カメラ８と、異常判定部５６と、を備えている。複数のＣＴセンサ７は、配電網を構成する電力線の所定の位置に設置され、電力線の電気的測定を行う。データ収集中継器６は、複数のＣＴセンサ７から測定結果に関するデータを受信する。カメラ８は、データ収集中継器６の近傍に配置されており、データ収集中継器６を含む画像を撮像する。異常判定部５６は、カメラ７において撮像された画像を用いて、データ収集中継器６の異常を検出する。【選択図】図１
2018157630.tif 000002
【特許請求の範囲】
【請求項１】
配電網を構成する電力線の所定の位置に設置され、前記電力線の電気的測定を行う複数の測定器と、
前記複数の測定器から測定結果に関するデータを受信するデータ収集中継器と、
前記データ収集中継器の近傍に配置されており、前記データ収集中継器を含む画像を撮像する撮像部と、
前記撮像部において撮像された前記画像を用いて、前記データ収集中継器の異常を検出する異常検知部と、
を備えている配電網モニタリングシステム。
【請求項２】
前記撮像部は、前記データ収集中継器に対して１対１で設けられている、
請求項１に記載の配電網モニタリングシステム。
【請求項３】
前記撮像部は、前記画像のデータとともに、前記撮像部ごとに付された固有のＩＤ情報を送信する、
請求項１または２に記載の配電網モニタリングシステム。
【請求項４】
前記異常検知部は、前記データ収集中継器から前記測定器において測定された測定結果に関するデータを受信して、所定時間内に所定回数だけ受信されているか否かを判定し、前記測定器に関する異常を検出する、
請求項１から３のいずれか１項に記載の配電網モニタリングシステム。
【請求項５】
前記複数の測定器は、所定時間が経過するごとに、前記電力線の電気的測定を行う、
請求項４に記載の配電網モニタリングシステム。
【請求項６】
前記測定器は、前記測定結果に関するデータとともに、前記測定器ごとに付された固有のＩＤ情報を送信する、
請求項４または５に記載の配電網モニタリングシステム。
【請求項７】
前記測定器は、前記測定結果に関するデータとともに、前記測定器が設置された場所を示す位置情報を送信する、
請求項４または５に記載の配電網モニタリングシステム。
【請求項８】
前記測定器は、前記測定結果に関するデータとともに、前記測定器において測定が実施された日時を示す時刻情報を送信する、
請求項４または５に記載の配電網モニタリングシステム。
【請求項９】
前記データ収集中継器は、第１エリアに設置された前記複数の測定器から前記測定結果に関するデータを受信する第１データ収集中継器と、第２エリアに設置された前記複数の測定器から前記測定結果に関するデータを受信する第２データ収集中継器と、を含む、
請求項１から８のいずれか１項に記載の配電網モニタリングシステム。
【請求項１０】
前記撮像部から受信した前記画像のデータと、前記データ収集中継器から受信した前記複数の測定器における測定結果に関するデータと、前記異常の検出結果とを保存する記憶部を、さらに備えている、
請求項１から９のいずれか１項に記載の配電網モニタリングシステム。
【請求項１１】
前記異常には、前記データ収集中継器あるいは前記測定器の故障、盗難、破壊、前記配電網における停電、前記測定器、前記データ収集中継器と前記異常検知部との間の通信障害が含まれる、
請求項１から１０のいずれか１項に記載の配電網モニタリングシステム。
【請求項１２】
前記異常検知部において異常ありと判定された場合に、前記異常に関する報知を行う報知部を、さらに備えている、
請求項１から１１のいずれか１項に記載の配電網モニタリングシステム。
【請求項１３】
配電網を構成する電力線の所定の位置に設置され前記電力線の電気的測定を行う複数の測定器から測定結果に関するデータを受信するデータ収集中継器の近傍に配置されており、前記データ収集中継器を含む画像を撮像する撮像部と、
前記撮像部において撮像された前記画像を用いて、前記データ収集中継器の異常を検出する異常検知部と、
を備えている配電網モニタリング装置。
【発明の詳細な説明】
【技術分野】
【０００１】
本発明は、配電網における異常を検出する配電網モニタリングシステムおよび配電網モニタリング装置に関する。
【背景技術】
【０００２】
近年、配電網を構成する電力線に対して取り付けられ、ＣＴ（Current Transformer）によって物理量を電流値に変換して測定する計測装置が用いられている。
例えば、特許文献１には、配電網を構成する電力線を流れる電流を精度よく検出するための計測装置の構成について開示されている。
このような計測装置を用いて、配電網を構成する電力線の電気的測定を可能とする配電網モニタリングシステムを構築することで、例えば、電力線から無断で電力を引き出して使用する盗電の対策用のシステムを提供することができる。
【先行技術文献】
【特許文献】
【０００３】
【特許文献１】特開２０１４−１７８２３８号公報
【発明の概要】
【発明が解決しようとする課題】
【０００４】
しかしながら、上記従来の配電網モニタリングシステムでは、以下に示すような問題点を有している。
すなわち、上記公報に開示された配電網モニタリングシステムでは、暴風雨等の自然現象や人為的なイタズラ等によって、電流センサから測定結果を受信して管理センタ等へ送信するためのデータ収集中継器等が故障、破壊、盗難等にあうおそれがある。
【０００５】
本発明の課題は、電力線に設置された測定器から測定結果に関するデータを受信するデータ収集中継器に関する異常の発生を効果的に検出することが可能な配電網モニタリングシステムおよび配電網モニタリング装置を提供することにある。
【課題を解決するための手段】
【０００６】
第１の発明に係る配電網モニタリングシステムは、複数の測定器と、データ収集中継器と、撮像部と、異常検知部と、を備えている。複数の測定器は、配電網を構成する電力線の所定の位置に設置され、電力線の電気的測定を行う。データ収集中継器は、複数の測定器から測定結果に関するデータを受信する。撮像部は、データ収集中継器の近傍に配置されており、データ収集中継器を含む画像を撮像する。異常検知部は、撮像部において撮像された画像を用いて、データ収集中継器の異常を検出する。
【０００７】
ここでは、配電網を構成する電力線に設置された測定器から測定結果に関するデータを受信するデータ収集中継器を含む画像を用いて、データ収集中継器に生じた各種異常を検出するシステムにおいて、異常検知部が、データ収集中継器を含む画像データを受信して、データ収集中継器およびその筐体部の外観等の変化から異常の有無を検出する。
すなわち、本配電網モニタリングシステムでは、例えば、所定時間経過ごとに撮像部において撮像されたデータ収集中継器を含む画像を用いて、データ収集中継器あるいはその筐体部の外観に変化が生じた場合には、データ収集中継器において何らかの異常が発生したと判断する。
【０００８】
ここで、上記データ収集中継器は、例えば、複数の測定器に対して１つ設けられており、複数の測定器において測定された結果に関するデータを受信して、管理センタ等へ送信するために設けられている。
そして、上記データ収集中継器の異常には、例えば、データ収集中継器の破壊、盗難、故障、あるいはデータ収集中継器が設置された筐体部の破壊、盗難等が含まれる。
【０００９】
また、撮像部は、例えば、監視カメラ等の撮像手段であって、異常の発生を検出する対象であるデータ収集中継器に対して１対１で設けられていてもよいし、複数のデータ収集中継器に対して１つ設けられていてもよい。
また、撮像部と異常検知部との間の通信は、直接的な通信に限らず、中継器等を介して間接的な通信であってもよい。さらに、撮像部と異常検知部との間の通信は、無線通信であってもよいし、有線通信であってもよい。
【００１０】
さらに、異常検知部は、測定器、データ収集中継器あるいは撮像部の内部に設けられていてもよいし、別の機器内に設けられていてもよい。
これにより、データ収集中継器が正常である場合には、データ収集中継器の外観の変化は見られないところ、直前に撮影された画像と最新の画像とを比較して外観の変化が検出された場合には、データ収集中継器に何らかの異常が発生したと判断し、異常ありと判定する。
【００１１】
この結果、配電網を構成する電力線に設置された測定器から測定結果に関するデータを受信するデータ収集中継器に生じた異常を、データ収集中継器の近傍に配置された撮像部によって撮像された画像を用いることで、効果的に検出することができる。
第２の発明に係る配電網モニタリングシステムは、第１の発明に係る配電網モニタリングシステムであって、撮像部は、データ収集中継器に対して１対１で設けられている。
【００１２】
ここでは、配電網を構成する電力線に取り付けられた複数の測定器から測定結果に関するデータを受信するデータ収集中継器に対して、撮像部を１対１で配置している。
これにより、複数のデータ収集中継器を１つの撮像部によって撮像する構成と比較して、個々のデータ収集中継器に対して専用の撮像部を設けたことで、異常を検出すべきデータ収集中継器の外観等の変化をより効果的に検出することができる。
【００１３】
第３の発明に係る配電網モニタリングシステムは、第１または第２の発明に係る配電網モニタリングシステムであって、撮像部は、画像データとともに、撮像部ごとに付された固有のＩＤ情報を送信する。
ここでは、撮像部から送信される画像データに加えて、撮像部ごとに付された固有のＩＤ情報を送信する。
【００１４】
これにより、異常検知部は、撮像部から受信した画像に基づいてデータ収集中継器の外観等に変化があった場合には、外観等に変化があった撮像部のＩＤ情報を確認することで、どの撮像部によって撮像されたデータ収集中継器に関する異常の発生であるかを容易に認識することができる。
第４の発明に係る配電網モニタリングシステムは、第１から第３の発明のいずれか１つに係る配電網モニタリングシステムであって、異常検知部は、データ収集中継器から測定器において測定された測定結果に関するデータを受信して、所定時間内に所定回数だけ受信されているか否かを判定し、異常を検出する。
【００１５】
ここでは、例えば、データ収集中継器から、所定時間経過するたびに測定器における測定結果のデータを異常検知部に送信するように設定されており、所定時間（例えば、６０分）内に、所定回数（例えば、１０回）の測定結果の受信がない場合には、測定器、データ収集中継器あるいは配電網において何らかの異常が発生したと判断する。
ここで、上記配電網において生じた異常には、例えば、配電網における停電に加えて、測定器あるいはデータ収集中継器の故障、破壊、盗難、データ収集中継器と異常検知部との間における通信障害等が含まれる。
【００１６】
また、データ収集中継器から送信される測定結果に関するデータは、例えば、電力線の電流・電圧の測定結果のデータ、あるいは測定値から算出された交流の実効値のデータであってもよい。
また、データ収集中継器と異常検知部との間の通信は、無線通信であってもよいし、有線通信であってもよい。
【００１７】
これにより、測定器、データ収集中継器および配電網が正常である場合には、所定時間内に所定回数だけ測定結果のデータが受信できるところ、所定回数の受信がない場合には、なんらかの異常が発生したと判断し、異常ありと判定する。
この結果、画像を用いた異常の検出に加えて、測定結果に関するデータの適切な受信の有無に応じて実施される異常の検出も行うことで、さらに広範囲に配電網における異常の発生を検出することができる。
【００１８】
第５の発明に係る配電網モニタリングシステムは、第４の発明に係る配電網モニタリングシステムであって、複数の測定器は、所定時間が経過するごとに、電力線の電気的測定を行う。
ここでは、配電網を構成する電力線に設置された複数の測定器において、所定時間が経過するたびに、電力線の電流・電圧等の測定を行う。
【００１９】
これにより、複数の測定器から所定時間経過ごとに測定された測定結果を、データ収集中継器を介して異常検知部において受信することで、配電網において何らかの異常が発生した場合には、その受信回数を確認して、その異常の発生を容易に検出することができる。
第６の発明に係る配電網モニタリングシステムは、第４または第５の発明に係る配電網モニタリングシステムであって、測定器は、測定結果に関するデータとともに、測定器ごとに付された固有のＩＤ情報を送信する。
【００２０】
ここでは、測定器から、測定結果に関するデータに加えて、測定器ごとに付された固有のＩＤ情報を送信する。
これにより、異常検知部は、データ収集中継器を介して所定時間内に所定回数の受信がなかった場合には、所定回数の受信がなかった測定器のＩＤ情報を確認することで、どの測定器に関する異常の発生であるかを容易に認識することができる。
【００２１】
第７の発明に係る配電網モニタリングシステムは、第４または第５の発明に係る配電網モニタリングシステムであって、測定器は、測定結果に関するデータとともに、測定器が設置された場所を示す位置情報を送信する。
ここでは、測定器から、測定結果に関するデータに加えて、測定器の設置場所を示す位置情報を送信する。
【００２２】
これにより、異常検知部は、データ収集中継器を介して、所定時間内に所定回数の受信がなかった場合には、所定回数の受信がなかった測定器の設置位置の位置情報を確認することで、どの場所に設置された測定器に関する異常の発生であるかを容易に認識することができる。
第８の発明に係る配電網モニタリングシステムは、第４または第５の発明に係る配電網モニタリングシステムであって、測定器は、測定結果に関するデータとともに、測定器において測定が実施された日時を示す時刻情報を送信する。
【００２３】
ここでは、測定器から、測定結果に関するデータに加えて、測定器による測定が実施された時刻情報を送信する。
これにより、異常検知部は、データ収集中継器を介して所定時間内に所定回数の受信がなかった場合には、所定回数の受信がなかった測定器の測定時間の空白を確認することで、異常の発生時刻を容易に認識することができる。
【００２４】
第９の発明に係る配電網モニタリングシステムは、第１から第８の発明のいずれか１つに係る配電網モニタリングシステムであって、データ収集中継器は、第１エリアに設置された複数の測定器から測定結果に関するデータを受信する第１データ収集中継器と、第２エリアに設置された複数の測定器から測定結果に関するデータを受信する第２データ収集中継器と、を含む。
【００２５】
ここでは、複数の測定器が設置された各エリア（第１・第２エリア）に対して、１つずつデータ収集中継器（第１・第２データ収集中継器）を設置している。
これにより、どのエリアに設置されたデータ収集中継器に接続された測定器、撮像部からの受信であるかを確認して異常の有無を検出することで、配電網を複数のエリアに分けて異常の有無を管理することができる。
【００２６】
第１０の発明に係る配電網モニタリングシステムは、第１から第９の発明のいずれか１つに係る配電網モニタリングシステムであって、撮像部から受信した画像データと、データ収集中継器から受信した複数の測定器における測定結果に関するデータと、異常の検出結果とを保存する記憶部を、さらに備えている。
ここでは、配電網モニタリングシステムに、撮像部から受信した画像データ、データ収集中継器から受信した複数の測定部における測定結果に関するデータ、および異常の検出結果、を保存する記憶部を設けている。
【００２７】
これにより、過去の画像、測定結果に関するデータと異常の検出結果とを参照して、異常が発生したデータ収集中継器あるいは測定器を点検・修理する等の措置を講ずることができる。
第１１の発明に係る配電網モニタリングシステムは、第１から第１０の発明のいずれか１つに係る配電網モニタリングシステムであって、異常には、データ収集中継器あるいは測定器の故障、盗難、破壊、配電網における停電、測定器、データ収集中継器と異常検知部との間の通信障害が含まれる。
【００２８】
ここでは、本配電網モニタリングシステムによって検出される異常として、画像を用いて検出可能なデータ収集中継器の故障、盗難、破壊と、測定器から受信した測定結果に関するデータによって検出可能な測定器あるいはデータ収集中継器の故障、盗難、破壊、配電網における停電、測定器、データ収集中継器と異常検知部との間の通信障害等と、を例示する。
【００２９】
これにより、配電網において何らかの異常が発生した場合には、撮像部において撮像された画像、あるいはデータ収集中継器からの受信回数を確認することで、各種異常の発生を容易に検出することができる。
第１２の発明に係る配電網モニタリングシステムは、第１から第１１の発明のいずれか１つに係る配電網モニタリングシステムであって、異常検知部において異常ありと判定された場合に、異常に関する報知を行う報知部を、さらに備えている。
【００３０】
ここでは、異常検知部において異常ありと判定された場合に、報知部によって、異常が発生していることを報知する。
ここで、上記報知部による報知の方法としては、異常発生を知らせる文字情報を表示部に表示させる、音声情報、警報音を出す等が含まれる。
これにより、例えば、報知部による報知を受けた管理担当者は、異常が発生した測定器あるいはデータ収集中継器を点検・修理する等の措置を講ずることができる。
【００３１】
第１３の発明に係る配電網モニタリング装置は、撮像部と、異常検知部と、を備えている。撮像部は、配電網を構成する電力線の所定の位置に設置され電力線の電気的測定を行う複数の測定器から測定結果に関するデータを受信するデータ収集中継器の近傍に配置されており、データ収集中継器を含む画像を撮像する。異常検知部は、撮像部において撮像された画像を用いて、データ収集中継器の異常を検出する。
【００３２】
ここでは、配電網を構成する電力線に設置された測定器から測定結果に関するデータを受信するデータ収集中継器を含む画像を用いて、データ収集中継器に生じた各種異常を検出する装置において、異常検知部が、データ収集中継器を含む画像データを受信して、データ収集中継器およびその筐体部の外観等の変化から異常の有無を検出する。
すなわち、本配電網モニタリング装置では、例えば、所定時間経過ごとに撮像部において撮像されたデータ収集中継器を含む画像を用いて、データ収集中継器あるいはその筐体部の外観に変化が生じた場合には、データ収集中継器において何らかの異常が発生したと判断する。
【００３３】
ここで、上記データ収集中継器は、例えば、複数の測定器に対して１つ設けられており、複数の測定器において測定された結果に関するデータを受信して、管理センタ等へ送信するために設けられている。
そして、上記データ収集中継器の異常には、例えば、データ収集中継器の破壊、盗難、故障、あるいはデータ収集中継器が設置された筐体部の破壊、盗難等が含まれる。
【００３４】
また、撮像部は、例えば、監視カメラ等の撮像手段であって、異常の発生を検出する対象であるデータ収集中継器に対して１対１で設けられていてもよいし、複数のデータ収集中継器に対して１つ設けられていてもよい。
また、撮像部と異常検知部との間の通信は、直接的な通信に限らず、中継器等を介して間接的な通信であってもよい。さらに、撮像部と異常検知部との間の通信は、無線通信であってもよいし、有線通信であってもよい。
【００３５】
さらに、異常検知部は、測定器、データ収集中継器あるいは撮像部の内部に設けられていてもよいし、別の機器内に設けられていてもよい。
これにより、データ収集中継器が正常である場合には、データ収集中継器の外観の変化は見られないところ、直前に撮影された画像と最新の画像とを比較して外観の変化が検出された場合には、データ収集中継器に何らかの異常が発生したと判断し、異常ありと判定する。
【００３６】
この結果、配電網を構成する電力線に設置された測定器から測定結果に関するデータを受信するデータ収集中継器に生じた異常を、データ収集中継器の近傍に配置された撮像部によって撮像された画像を用いることで、効果的に検出することができる。
【発明の効果】
【００３７】
本発明に係る配電網モニタリングシステムによれば、電力線に設置されたデータ収集中継器に関する異常の発生を効果的に検出することができる。
【図面の簡単な説明】
【００３８】
【図１】本発明の一実施形態に係る配電網モニタリングシステムを含む配電網システムの構成を示すブロック図。
【図２】図１の配電網モニタリングシステムに含まれるＣＴセンサ、カメラ、およびデータ収集中継器が配電網を構成する電力線に取り付けられた状態を示す図。
【図３】図１の配電網システムに含まれる第１電力管理センタの構成を示すブロック図。
【図４】図１の配電網モニタリングシステムに含まれる電力管理センタの構成を示すブロック図。
【図５】図１の配電網モニタリングシステムに含まれるデータ収集中継器、ＣＴセンサおよびカメラの構成を示すブロック図。
【図６】図１の配電網モニタリングシステムに含まれる電力管理センタの管理ＤＢ内に保存される設定情報を示すテーブル。
【図７】図１の配電網モニタリングシステムに含まれる電力管理センタの管理ＤＢ内に保存される測定情報を示すテーブル。
【図８】図１の配電網モニタリングシステムに含まれる電力管理センタの管理ＤＢ内に保存されるカメラ画像の情報を示すテーブル。
【図９】図１の配電網モニタリングシステムに含まれるデータ収集中継器の管理ＤＢ内に保存される設定情報を示すテーブル。
【図１０】図１の配電網モニタリングシステムに含まれるデータ収集中継器の管理ＤＢ内に保存される測定情報を示すテーブル。
【図１１】図１の配電網モニタリングシステムに含まれるＣＴセンサにおける処理の流れを示すフローチャート。
【図１２】図１の配電網モニタリングシステムに含まれるデータ収集中継器における処理の流れを示すフローチャート。
【図１３】図１の配電網モニタリングシステムに含まれるカメラにおける処理の流れを示すフローチャート。
【図１４】図１の配電網モニタリングシステムによる異常判定の処理の流れを示すフローチャート。
【図１５】本発明の他の実施形態に係る配電網モニタリング装置の構成を示すブロック図。
【図１６】（ａ）〜（ｃ）は、本発明のさらに他の実施形態に係る配電網モニタリングシステムに含まれる電力管理センタの管理ＤＢ内に保存されるデータ収集中継器、カメラおよびＣＴセンサの位置情報管理テーブルを示す図。
【発明を実施するための形態】
【００３９】
本発明の一実施形態に係る配電網モニタリングシステムについて、図１〜図１４を用いて説明すれば以下の通りである。
（配電網システム１０の構成）
図１は、本発明の一実施形態に係る配電網モニタリングシステム１を含む配電網システム１０の構成を示すブロック図である。
【００４０】
本実施形態の配電網モニタリングシステム１は、配電網システム１０に設けられている。配電網モニタリングシステム１は、配電網を構成する配電線（電力線の一例）の所定の位置に設置された複数のＣＴ（Current Transformer）センサ（測定器の一例）７から測定データを受信して電力管理センタ５へ送信するデータ収集中継器６の近傍に設置されたカメラ（撮像部）８によって撮影された画像を用いて配電網の監視を行い異常の検出を行う。また、本実施形態では、上記カメラ８によって撮影された画像を用いた異常判定に加えて、ＣＴセンサ７における測定結果を、所定時間（例えば、６０分）内に所定回数（例えば、１０回）受信しているか否かに応じて、配電網における異常の判定を行う。
【００４１】
本実施の形態の配電網システム１０には、第１電力管理センタ２および第２電力管理センタ３が設けられている。第１電力管理センタ２は、ブロックＡおよびブロックＢにおける配電網の管理を行う。第２電力管理センタ３は、ブロックＣにおける配電網の管理を行う。
ここで、第１電力管理センタ２および第２電力管理センタ３は、例えば、関西電力、中部電力などに設けられている管理センタである。また、ブロックＡ、Ｂは、例えば大阪府、奈良県等の関西電力が担当する府または県を示し、ブロックＣは、愛知県等の中部電力が担当する県を示す。
【００４２】
本実施形態の配電網システム１０は、ブロックＡ、ブロックＢおよびブロックＣの各ブロックに、配電網モニタリングシステム１と、保守管理センタ４とを備えている。
配電網モニタリングシステム１は、各ブロックにおける配電網１００（図２参照）の監視を行い異常の検出を行う。保守管理センタ４は、配電網モニタリングシステム１の検出結果に基づいて各ブロックの保守管理を行う。そして、配電網モニタリングシステム１は、電力管理センタ５と、複数のデータ収集中継器６と、複数のＣＴセンサ７と、カメラ（撮像部）８とを有している。
【００４３】
電力管理センタ５は、各ブロックにおける電力の管理を行い、ブロック内の配電網１００（図２参照）における異常を検出する。
データ収集中継器６は、複数のＣＴセンサ７から測定結果等のデータを収集する。
ＣＴセンサ７は、配電線を流れる電気的なエリアごとに複数設置されており、配電線を流れる電流の測定を行う。そして、ＣＴセンサ７によって測定された配電線の電流値に関するデータは、データ収集中継器６を経由して電力管理センタ５に送られる。電力管理センタ５では、その電流値の測定結果を示すデータに基づいて異常の検出が行われる。
【００４４】
カメラ８は、データ収集中継器６の近傍に配置されており、所定時間経過ごとに、データ収集中継器６を含む画像を撮影する。そして、カメラ８によって撮影された画像データは、電力管理センタ５へ送信される。電力管理センタ５では、所定時間経過ごとにカメラ８によって撮影された２枚の画像を用いて、データ収集中継器６の外観の変化から異常の検出が行われる。
【００４５】
なお、電力管理センタ５における異常検出については、後段にて詳述する。
ここで、図１に示すエリアとは、例えば、ブロックに所定の変電所から送信されている区域もしくは、市や町などの市町村の区域を示す。
ブロックＡでは、複数のエリアＡ−１・・・Ａ−ｎのエリア毎に１つのデータ収集中継器６が設けられている。そして、１つのエリアに設置されている複数のＣＴセンサ７のデータが、１つのデータ収集中継器６において収集される。そして、ブロックＡでは、複数のエリアＡ−１・・・Ａ−ｎのエリア毎に設けられた１台のデータ収集中継器６の近傍に１台のカメラ８が配置され、カメラ８によってデータ収集中継器６を含む画像が撮影される。
【００４６】
ブロックＢでは、１つのエリアＢ−１に複数のデータ収集中継器６が設けられている。そして、１つのエリアに設置されている複数のＣＴセンサ７のデータが、複数のデータ収集中継器６において収集される。ブロックＢの場合、複数のＣＴセンサ７はグループに分けられており、各々データ収集中継器６は、グループに所属する複数のＣＴセンサ７のデータを収集する。そして、ブロックＢでは、１つのエリアＢ−１に設けられた複数のデータ収集中継器６のそれぞれの近傍に１台のカメラ８が配置され、カメラ８によってデータ収集中継器６を含む画像が撮影される。
【００４７】
なお、データ収集中継器６は、図１に示すように、エリアに１つだけ設けられていてもよいし、複数設けられていてもよい。
（データ収集中継器６、ＣＴセンサ７およびカメラ８の設置）
図２は、配電網１００におけるデータ収集中継器６、ＣＴセンサ７およびカメラ８の設置場所を示す図である。図２では、送電方向上流側の電柱１０１と下流側の電柱１０２とが示されている。そして、電柱１０１と電柱１０２の間には、ＲＴＳの３相を構成する３本の幹線として配電線１０３，１０４，１０５が掛け渡されている。
【００４８】
配電線１０３は、Ｒ相の配電線である。配電線１０４は、Ｔ相の配電線である。配電線１０５は、Ｓ相の配電線である。また、配電線１０５から支線として分岐された配電線１０６は、家屋１０７内の電気設備に繋がれている。
データ収集中継器６は、電柱１０１および電柱１０２の各々に設置されている。なお、場所による区別を行うために、電柱１０１に設置されているデータ収集中継器６をデータ収集中継器６ａ、電柱１０２に設置されているデータ収集中継器６をデータ収集中継器６ｂとする。
【００４９】
ＣＴセンサ７は、クランプ型であって、配電線（電力線の一例）に着脱可能な状態で設置されている。ＣＴセンサ７は、配電線１０３，１０４，１０５の各々の配電線において電柱１０１の近傍と電柱１０２の近傍とにそれぞれ設置されている。
さらに、ＣＴセンサ７は、配電線１０６の家屋１０７近傍に設置されている。ここで、後述する説明のために、場所による区別を行うためにＣＴセンサ７の符号にａ〜ｆを付与する。
【００５０】
具体的には、配電線１０３の電柱１０１近傍に設置されているＣＴ７センサをＣＴセンサ７ａ、配電線１０３の電柱１０２近傍に設置されているＣＴセンサ７をＣＴセンサ７ｄとする。また、配電線１０４の電柱１０１近傍に設置されているＣＴ７センサをＣＴセンサ７ｂとし、配電線１０４の電柱１０２近傍に設置されているＣＴセンサ７をＣＴセンサ７ｅとする。さらに、配電線１０５の電柱１０１近傍に設置されているＣＴセンサ７をＣＴセンサ７ｃとし、配電線１０５の電柱１０２近傍に設置されているＣＴセンサ７をＣＴセンサ７ｆとする。また、配電線１０６に設置されているＣＴセンサ７をＣＴセンサ７ｇとする。
【００５１】
図２では、ＣＴセンサ７ａ，７ｂ，７ｃ，７ｇの測定データは、データ収集中継器６ａに送信される。一方、ＣＴセンサ７ｄ，７ｅ，７ｆの測定データは、データ収集中継器６ｂに送信される。ＣＴセンサ７とデータ収集中継器６との間の通信は、後述するように無線によって行われる。
カメラ８は、電柱１０１に設置されているデータ収集中継器６ａ、電柱１０２に設置されているデータ収集中継器６ｂの近傍にそれぞれ配置されている。
【００５２】
具体的には、電柱１０１に設置されているデータ収集中継器６ａの近傍に配置されたカメラ８をカメラ８ａ、電柱１０２に設置されているデータ収集中継器６ｂの近傍に配置されたカメラ８をカメラ８ｂとする。
そして、カメラ８ａは、データ収集中継器６ａの方向を向くように電柱１０１に取り付けられており、データ収集中継器６ａを含む画像を撮影する。一方、カメラ８ｂは、データ収集中継器６ｂの方向を向くように電柱１０２に取り付けられており、データ収集中継器６ｂを含む画像を撮影する。
【００５３】
（第１・第２電力管理センタ２，３）
第１電力管理センタ２は、図１に示すように、第１電力管理装置２１と、管理ＤＢ（Data base）２２と、表示部２３とを有している。
第１電力管理装置２１は、図３に示すように、受信部２４ａおよび送信部２４ｂを含む通信部２４を有しており、ブロックＡ、Ｂの各々に設けられている電力管理センタ５と通信を行う。さらに、第１電力管理装置２１は、通信部２４を介して、各々の電力管理装置５１によって検出された異常検出結果データを受信し、管理ＤＢ２２に保存するとともに、表示部２３に表示させる。
【００５４】
異常検出結果データは、異常が検出された測定データを測定したＣＴセンサ７のＩＤ、位置、異常が検出された測定データの測定時刻等のデータを含む。
このように、管理ＤＢ２２に異常検出の記録を残すことによって、最上位の電力管理センタ２，３において、配電網１００（図２参照）において生じた異常に対して何らかの対策を講じることで、保守・管理を従来よりも容易に行うことができる。
【００５５】
なお、第２電力管理センタ３は、第１電力管理センタ２と同様の構成であるから、ここではその詳細な説明は省略する。
具体的には、第２電力管理センタ３は、第１電力管理センタ２と同様に、図１に示す、送信部および受信部が設けられた通信部を有する第２電力管理装置３１と、管理ＤＢ３２と、表示部３３とを有している。
【００５６】
また、第２電力管理センタ３は、ブロックＣに設けられた電力管理センタ５と通信を行い、電力管理センタ５によって検出された異常に関する情報を保存する。
（電力管理センタ５）
電力管理センタ５は、図１に示すように、電力管理装置５１と、表示部５２と、を有している。
【００５７】
電力管理装置５１は、カメラ８から受信したデータ収集中継器６を含む画像と、データ収集中継器６から受信した測定結果のデータとを用いて、配電網１００（図２参照）における異常の検出を行う。なお、電力管理装置５１における異常検出の処理については、後段にて詳述する。
図４は、電力管理センタ５および保守管理センタ４の構成を示すブロック図である。
【００５８】
電力管理センタ５に含まれる電力管理装置５１は、図４に示すように、通信部５３と、管理ＤＢ（記憶部の一例）５４と、通信部５５と、異常判定部（異常検知部の一例）５６と、を有している。
通信部５３は、データ収集中継器６側の通信部６３（図５参照）との間で通信を行う。そして、通信部５３は、図４に示すように、送信部５３ａと、受信部５３ｂとを有している。
【００５９】
送信部５３ａは、各々のデータ収集中継器６に対して、設定要求およびデータ取得要求を送信する。
受信部５３ｂは、複数のデータ収集中継器６の送信部６３ｂ（図５参照）から送信されるエリアコード、中継器管理コード、ＣＴセンサＩＤ、時刻情報、測定結果等の各種データを受信する。
【００６０】
管理ＤＢ５４は、受信部５３ｂを介してデータ収集中継器６から受信したエリアコード、中継器管理コード、カメラＩＤ、ＣＴセンサＩＤ、時刻情報、測定結果、カメラ画像等の各種データを保存する。
ここで、本実施形態では、ＣＴセンサ７から６分ごとに測定結果のデータがデータ収集中継器６に送信されるとともに、電力管理装置５１からデータ収集中継器６に対してデータ取得要求が６０分ごとに送信される。
【００６１】
これにより、データ収集中継器６から電力管理装置５１に対して、１度に１０回分の測定結果のデータが送信される。
また、本実施形態では、所定時間（例えば、６０分）経過ごとに撮影されたデータ収集中継器６を含む画像のデータが、カメラ８から電力管理装置５１に送信される。
これにより、電力管理装置５１には、６０分おきに撮影された画像データが順次送信され、管理ＤＢ５４に保存される。
【００６２】
管理ＤＢ５４は、ＣＴセンサ７の測定結果のデータ（電流の実効値等）およびカメラ８によって撮影された画像のデータを、エリアコード、中継器管理コード、カメラＩＤ、ＣＴセンサＩＤ、時刻情報とともにテーブルとして保存する。
特に、本実施形態では、管理ＤＢ５４は、異常検出の結果（異常の有無、異常が検出されたデータ収集中継器６）に関する情報も保存する。
【００６３】
具体的には、管理ＤＢ５４には、図６に示す、第１電力管理センタ２から受信した設定情報が保存されている。
この設定情報には、エリアコード（Ａ０１）およびエリアコード（Ａ０２）に対応する中継器管理コード（Ａ０１＿０１，・・・，Ａ０１＿ｎ）および（Ａ０２＿０１，Ａ０２＿０２，・・・、Ａ０２＿ｎ）、ＣＴセンサＩＤ（００１，００２，・・・，００ｎ）および（００１，００２，・・・，００ｎ）と、時刻情報（２０１７／２／６／０９：５８：５５）と、が含まれる。
【００６４】
なお、これらの設定情報は、第１電力管理センタ２から新たな設定情報を受信すると、更新される。
また、管理ＤＢ５４には、図７に示す、データ収集中継器６から受信した測定情報が保存されている。
この測定情報には、エリアコード（Ａ０１）およびエリアコード（Ａ０２）に対応する中継器管理コード（Ａ０１＿０１，Ａ０１＿２）および（Ａ０２＿０１）、ＣＴセンサＩＤ（００１，００２，・・・）および（００１）と、時刻情報と、測定結果と、が含まれる。
【００６５】
なお、図７に示すテーブルは、エリアコードＡ０１のエリアに、中継器管理コードＡ０１＿０１のデータ収集中継器６と通信を行うＣＴセンサＩＤ００１のＣＴセンサ７から、２０１７／２／６の０９：０２：３０〜同日の０９：５６：３０までの６０分間に、１０個（１００ｍＡ、１０１ｍＡ，・・・，１０４ｍＡ）の測定結果を示すデータを受信したことを示している。
【００６６】
また、図７に示すテーブルは、エリアコードＡ０１のエリアに、中継器管理コードＡ０１＿０１のデータ収集中継器６と通信を行うＣＴセンサＩＤ００２のＣＴセンサ７から、２０１７／２／６の０９：００台の測定結果が６０分間に、１個しか受信していないため、ＣＴセンサ７やデータ収集中継器６等の盗難、破損、故障、あるいはエリアコードＡ０１のエリアにおける停電等、配電網１００（図２参照）において何らかの異常が発生したことを示している。
【００６７】
さらに、管理ＤＢ５４には、図８に示す、カメラ８から受信したデータ収集中継器６を含む画像の画像情報が保存されている。
この画像情報には、図８に示すように、画像を撮影したカメラ８ごとに付された固有のカメラＩＤ、取得（撮影）時刻情報、カメラ画像が含まれる。
具体的には、図８に示すテーブルは、カメラＩＤ（ＣＡ０１＿０１）が付されたカメラ８によって、取得時刻（２０１７／２／６／０９：００：００）に撮影された画像データと、カメラＩＤ（ＣＡ０１＿０２）が付されたカメラ８によって、取得時刻（２０１７／２／６／０９：００：１０）に撮影された画像データとがそれぞれ保存されている。
【００６８】
なお、これらの画像情報は、例えば、各カメラ８において、続けて撮影された最新の画像に対応する画像情報が保存されており、カメラ８から新たな画像情報を受信すると、更新される。
通信部５５は、第１電力管理センタ２側の通信部２４（図３参照）との間で通信を行う。そして、通信部５５は、図４に示すように、送信部５５ａと受信部５５ｂとを有している。
【００６９】
送信部５５ａは、第１電力管理センタ２側の通信部２４に含まれる受信部２４ａに対して、各種データを送信する。
受信部５５ｂは、第１電力管理センタ２側の通信部２４に含まれる送信部２４ｂから送信される各種データ、指令を受信する。
異常判定部５６は、カメラ８において取得されたデータ収集中継器６を含む画像を用いて、データ収集中継器６の外観の変化から異常の発生を検出する。また、異常判定部５６は、管理ＤＢ５４に保存された測定結果のデータの取得回数に基づいて、配電網１００（図２参照）における異常を検出する。
【００７０】
具体的には、異常判定部５６は、例えば、１０分経過ごとにカメラ８によって撮影されたデータ収集中継器６を含む画像２枚を比較して、データ収集中継器６の外観、あるいはデータ収集中継器６を収納している筐体部が開いている等の変化を検出して、データ収集中継器６に関する異常の有無を判定する。
また、異常判定部５６は、６０分間（所定時間）におけるＣＴセンサ７による測定結果の受信回数が１０回（所定回数）分あるか否かを確認する。そして、１０回分の測定結果を受信していない場合には、異常判定部５６は、配電網において何らかの異常が発生していると判定する。
【００７１】
ここで、本実施形態の配電網モニタリングシステム１によって検出される異常としては、データ収集中継器６の外観の変化から判定可能なデータ収集中継器６の盗難、破壊、故障等の異常が含まれる。さらに、本実施形態では、例えば、ＣＴセンサ７およびデータ収集中継器６の盗難、破損、故障、あるいはＣＴセンサ７とデータ収集中継器６との間における通信異常、データ収集中継器６と電力管理装置５１との間における通信障害、停電等の異常も含まれる。
【００７２】
すなわち、データ収集中継器６が盗難、破壊、故障等の異常が発生した状態にある場合には、データ収集中継器６が画像中から消える、凹み、破損部分ができる等、外観に変化が生じることが想定される。
このため、本実施形態の配電網モニタリングシステム１では、１０分おきに撮影された２枚の画像を用いて、データ収集中継器６に関する異常の有無を判定する。
【００７３】
また、複数のＣＴセンサ７が設置された配電網１００（図２参照）において、これらの異常が発生した場合には、ＣＴセンサ７における測定結果が、電力管理装置５１に対して送信されない状態になる。
このため、本実施形態の配電網モニタリングシステム１では、６分経過おきに測定が実施される個々のＣＴセンサ７ごとに、データ収集中継器６を介して送信される測定結果に関する実効値のデータを、６０分間分取得して、その測定回数が１０回分あるか否かに応じて、異常の有無を判定する。
【００７４】
そして、異常判定部５６は、図４に示すように、受信部５６ａ、照合部５６ｂ、更新部５６ｃ、異常通知部（報知部の一例）５６ｄ、受信データチェック部５６ｅ、および画像取得部５６ｆを有している。
受信部５６ａは、カメラ８の送信部８２から、カメラ８によって撮影されたデータ収集中継器６を含む画像のデータを受信する。そして、受信部５６ａは、カメラ８から受信した画像データを、照合部５６ｂと更新部５６ｃとに送信する。
【００７５】
ここで、受信部５６ａにおいて受信した画像データは、更新部５６ｃを介して管理ＤＢ５４へ送信され、管理ＤＢ５４に保存される。
照合部５６ｂは、受信部５６ａから受信した最新の画像データと、管理ＤＢ５４から取り出した直前（１０分前）に撮影された画像データとを含む２枚の画像データを比較して、データ収集中継器６の外観の変化を検出する。そして、照合部５６ｂは、画像中のデータ収集中継器６の外観に変化があることを検出した場合には、データ収集中継器６に異常が発生したと判定する。さらに、照合部５６ｂは、異常有りとする判定結果を、異常通知部５６ｄと通信部５３，５５の送信部５３ａ，５５ａとにそれぞれ送信する。
【００７６】
更新部５６ｃは、受信部５６ａを介して画像データを受信すると、管理ＤＢ５４に保存されている画像データを、最新の画像データに更新する。これにより、管理ＤＢ５４には、常に最新の画像データが保存されている。
異常通知部５６ｄは、照合部５６ｂおよび受信データチェック部５６ｅにおいて異常ありと判定された判定結果に基づいて、異常が発生したデータ収集中継器６の中継機管理コード、そのデータ収集中継器６に接続された複数のＣＴセンサ７のＣＴセンサＩＤ、ＣＴセンサ７が設置されたエリアコード等を含む異常判定情報を、保守管理センタ４の異常受信部４１ｂへ送信する。
【００７７】
受信データチェック部５６ｅは、通信部５３の受信部５３ｂを介して受信したＣＴセンサ７の測定結果の受信回数を管理ＤＢ５４から取り出してチェックし、受信回数が予め設定された所定回数分であるか否かを判定する。
具体的には、受信データチェック部５６ｅは、６０分間分（正常であれば１０回分）のＣＴセンサ７による測定結果を受信しているか否かを確認する。
【００７８】
ここで、６０分間に１０回分の測定データが受信されていなかった場合には、受信データチェック部５６ｅは、配電網１００（図２参照）において何らかの異常が発生したと判定し、その測定結果のデータと判定結果とを画像取得部５６ｆおよび異常通知部５６ｄへと送信する。
画像取得部５６ｆは、所定時間（例えば、６０分）経過ごとに、各カメラ８の受信部８３に対して画像取得要求信号を送信する。これにより、各カメラ８は、画像取得要求信号を受信したタイミングで、データ収集中継器６を含む画像を撮影する。
【００７９】
（保守管理センタ４）
保守管理センタ４は、電力管理センタ５からの異常検出結果データの通知に基づいて、配電網１００の保守管理を行う。すなわち、保守管理センタ４は、異常が検出された測定結果等のデータを送信したＣＴセンサ７の設置場所に実際に確認するために作業者を派遣するなどの管理を行う。そして、保守管理センタ４は、図１に示すように、保守管理装置４１および表示部４２と、を有している。
【００８０】
保守管理装置４１は、図４に示すように、表示制御部４１ａと、異常受信部４１ｂとを有している。
表示制御部４１ａは、異常判定部５６の異常通知部５６ｄから受信した異常検出の結果に基づいて、異常が発生したＣＴセンサ７、データ収集中継器６等のＩＤ等を表示部４２（図１参照）に表示させる。
【００８１】
異常受信部４１ｂは、電力管理装置５１の異常通知部５６ｄから送信された異常検出の結果に関するデータ等を受信する。
表示部４２は、各ＣＴセンサ７における測定結果のデータ、あるいはデータ収集中継器６の外観から判定できる異常の発生を示す画像情報や文字情報、配電網１００における異常の発生を示す文字情報等を表示するように、表示制御部４１ａによって制御される。これにより、管理者は、表示部４２に表示された異常検出結果等を確認して、必要に応じて、作業者を現場に派遣するなどの保守・管理を行うことができる。
【００８２】
（カメラ８）
図５は、エリアＡ−ｎにおけるデータ収集中継器６、ＣＴセンサ７およびカメラ８の構成を示すブロック図である。
カメラ８は、図２に示すように、データ収集中継器６の近傍に配置されており、所定時間経過ごとにデータ収集中継器６を含む画像を撮影する。
【００８３】
また、カメラ８は、図５に示すように、撮像部８１と、送信部８２と、受信部８３と、設定部８４とを有している。
撮像部８１は、所定時間（例えば、６０分）経過するごとに、データ収集中継器６を含む画像を撮影する。そして、撮像部８１は、撮影した画像データを、送信部８２に対して送信する。
【００８４】
送信部８２は、撮像部８１から受信した画像データを、カメラ８ごとに付された固有のカメラＩＤ、取得（撮影）時刻情報とともに、電力管理装置５１の異常判定部５６へと送信する。
受信部８３は、異常判定部５６の画像取得部５６ｆから画像取得要求信号を受信する。そして、受信部８３は、画像取得要求信号を受信したタイミングで、撮像部８１に対してデータ収集中継器６を含む画像を撮影する指令を送信する。
【００８５】
設定部８４は、各カメラ８に固有のカメラＩＤ等の各種情報が入力される。
（ＣＴセンサ７）
ＣＴセンサ７は、図２に示すように、クリップ式の取付構造を有しており、配電線１０３，１０４，１０５，１０６等に着脱自在に取り付けることができる。このため、配電線１０３〜１０６等に取り付けられたＣＴセンサ７は、盗難、破壊等の対象になるおそれがある。
【００８６】
そして、ＣＴセンサ７は、図５に示すように、計測部７１と、給電部７２と、送信部７３と、設定部７４とを有している。
計測部７１は、給電部７２からの給電により配電線を流れる電流のトレンドを計測する。具体的には、計測部７１は、配電線の周囲に着脱可能に取り付けられるコイル部およびコイル部を流れる電流を測定するためにシャント抵抗などを有している。よって、計測部７１は、このシャント抵抗の両端の電圧を測定することにより、配電線を流れる電流を検出することができる。
【００８７】
また、計測部７１には、演算部（図示せず）が設けられており、検出した電流の波形から、電流の実効値を演算する。
給電部７２は、コイル部に発生する電気を蓄えて計測部７１に給電する電源として機能する。なお、給電部７２に蓄電される際に、計測部７１による計測が行われず、コイル部に生じる電流が給電部７２へ送られるように電気回路を切り替える構成が設けられている。
【００８８】
設定部７４は、ＣＴセンサ７が設置されたエリアコード、通信可能なデータ収集中継器６を識別するための管理コード、ＣＴセンサ７を識別するためのＣＴセンサＩＤ、計測時刻、計測間隔、計測回数等を設定する。
送信部７３は、計測部７１によって計測され演算されたデータ（電流の実効値等）を測定結果データとしてデータ収集中継器６に送信する。これらの測定結果データは、電力管理装置５１において異常の検出に用いられるデータである。
【００８９】
また、送信部７３は、測定結果データに加えて、設定部７４で設定されたセンサＩＤ、時刻情報等を測定結果データに関連付けて測定情報として送信する。
なお、測定結果データと関連付けて送信される時刻情報は、各ＣＴセンサ７において測定結果データを測定したときの時刻を示す。なお、ＣＴセンサ７は、例えば、６分間隔などで定期的にデータ収集中継器６にセンサＩＤ、時刻情報、および測定結果データを送信する。
【００９０】
（データ収集中継器６）
データ収集中継器６は、図５に示すように、通信部６１と、管理ＤＢ６２と、通信部６３と、を有している。
通信部６１は、複数のＣＴセンサ７との間において無線通信を行う。また、通信部６１は、受信部６１ａを有している。
【００９１】
受信部６１ａは、複数のＣＴセンサ７から無線通信を介して送信されてくる測定情報（センサＩＤ、時刻情報、および測定結果データ）を受信する。
管理ＤＢ６２は、複数のＣＴセンサ７から送信される設定情報（図９のテーブル参照）と測定情報（図１０のテーブル参照）をテーブルとして保存・管理する。
具体的には、管理ＤＢ６２は、図９に示す、電力管理装置５１から受信した設定情報が保存されている。
【００９２】
この設定情報には、自身の中継器管理コード（Ａ０１＿０１）に対応するＣＴセンサＩＤ（００１，００２，・・・，００ｎ）と、時刻情報（２０１７／２／６／１０：００：０８）と、が含まれる。
なお、これらの設定情報は、電力管理装置５１から新たな設定情報を受信すると、更新される。
【００９３】
さらに、管理ＤＢ６２には、図１０に示す、複数のＣＴセンサ７から受信した測定情報が保存されている。
この測定情報には、ＣＴセンサＩＤ（００１，００２，００３，・・・）と、時刻情報と、測定結果と、が含まれる。
なお、図１０に示すテーブルは、データ収集中継器６が、ＣＴセンサＩＤ００１のＣＴセンサ７から、２０１７／２／６の０９：０２：３０〜同日の０９：５６：３０までの６０分間に、１０個（１００ｍＡ、１０１ｍＡ，・・・，１０４ｍＡ）の測定結果を示すデータを受信したことを示している。
【００９４】
また、図１０に示すテーブルは、データ収集中継器６が、ＣＴセンサＩＤ００２のＣＴセンサ７から、２０１７／２／６の０９：０３：４２、０９：０９：４２の２回分（９５ｍＡ，９８ｍＡ）の測定結果を示すデータを受信したことを示している。つまり、ここでは、ＣＴセンサＩＤ００２のＣＴセンサ７からは、６０分間で２回の測定結果の受信しかなかったことを意味している。
【００９５】
通信部６３は、図１に示すように、ブロックＡ等の電力管理装置５１と通信を行う。そして、通信部６３は、受信部６３ａおよび送信部６３ｂを有している。
受信部６３ａは、電力管理センタ５の電力管理装置５１からの設定要求およびデータ取得要求を受信する。データ取得要求は、定期的（例えば、６０分間隔）に電力管理センタ５から送信される。設定要求は、データ収集中継器６のＩＤの設定を要求する。
【００９６】
送信部６３ｂは、センサＩＤ、時刻情報、測定結果データ、およびデータ収集中継器ＩＤを電力管理センタ５の電力管理装置５１に送信する。
＜異常検出処理の流れ＞
本実施形態の配電網モニタリングシステム１による配電網１００（図２参照）における異常検出の処理の流れについて以下で説明する。
【００９７】
（ＣＴセンサ７における処理）
ＣＴセンサ７は、図１１に示すように、ステップＳ１１において、予め設定された所定時間（例えば、６分）が経過したか否かを判定する。ここでは、所定時間が経過するまで待機するとともに、所定時間が経過すると、ステップＳ１２へ進む。
なお、ここで設定された所定時間は、給電部７２における蓄電される時間に相当する。
【００９８】
次に、ステップＳ１２では、ＣＴセンサ７の計測部７１において、配電線（電力線の一例）を流れる電流値を計測する。
次に、ステップＳ１３では、ＣＴセンサ７の演算部（図示せず）において、測定された電流値から実効値を計算する。
次に、ステップＳ１４では、ＣＴセンサ７の送信部７３が、計測部７１において計測された計測値、演算部において計算された実効値、ＣＴセンサ７ごとに付された固有のＣＴセンサＩＤ等を含む測定情報を、データ収集中継器６に対して送信する。
【００９９】
（データ収集中継器６における処理）
データ収集中継器６は、図１２に示すように、ステップＳ２１において、通信部６３の受信部６３ａにおいて、電力管理装置５１からのデータ受信があったか否かを判定する。ここで、電力管理装置５１からのデータ受信があった場合には、ステップＳ２２へ進む。一方、電力管理装置５１からデータ受信がなかった場合には、ステップＳ２６へ進む。
【０１００】
次に、ステップＳ２２では、電力管理装置５１からデータ受信があった場合において、そのデータが設定要求を含むデータであるか否かを判定する。ここで、設定要求を含むデータであった場合には、ステップＳ２３へ進む。一方、設定要求を含まないデータであった場合には、ステップＳ２４へ進む。
次に、ステップＳ２３では、電力管理装置５１からデータ受信があり設定要求を含んでいた場合において、受信した設定要求に含まれる情報を管理ＤＢ６２へ保存して処理を終了する。
【０１０１】
次に、ステップＳ２４では、電力管理装置５１からデータ受信があり設定要求を含んでいなかった場合において、管理ＤＢ６２からＣＴセンサ７において測定された電流値（実効値）に関する測定情報を取得する。
次に、ステップＳ２５では、通信部６３の送信部６３ｂから電力管理装置５１（通信部５３の受信部５３ｂ）に対して、測定情報を送信して処理を終了する。
【０１０２】
次に、ステップＳ２６では、電力管理装置５１からデータを受信していない場合において、ＣＴセンサ７からデータを受信したか否かを判定する。ここで、ＣＴセンサ７からデータを受信していた場合には、ステップＳ２７へ進む。一方、ＣＴセンサ７からデータを受信していなかった場合には、ステップＳ２１へ戻る。
次に、ステップＳ２７では、電力管理装置５１からデータを受信しておらず、ＣＴセンサ７からデータを受信していた場合において、受信した測定情報を管理ＤＢ６２に保存して、処理を終了する。
【０１０３】
（カメラ８における処理）
カメラ８は、図１３に示すように、ステップＳ３１において、電力管理装置５１の異常判定部５６から、画像取得要求信号を受信したか否か、すなわち、予め設定された所定時間（例えば、６０分）が経過したか否かを判定する。ここでは、画像取得要求信号を受信するまで（所定時間が経過するまで）待機するとともに、画像取得要求信号を受信すると、ステップＳ３２へ進む。
【０１０４】
なお、ここで設定された画像取得要求信号の受信間隔時間は、カメラ８の画像を用いた異常判定を行う異常判定時間に相当する。
次に、ステップＳ３２では、カメラ８によって、データ収集中継器６を含む画像を撮影する。
次に、ステップＳ３３では、カメラ８において撮影された画像データが、カメラ８ごとに付された固有のカメラＩＤおよび画像取得（撮影）時刻情報とともに、電力管理装置５１に対して送信される。
【０１０５】
（電力管理装置５１における処理）
電力管理装置５１は、図１４に示すように、ステップＳ４１では、予め設定されたデータ取得時間（例えば、６０分）を経過したか否かを判定する。ここで、データ取得時間を経過するとステップＳ４２へ進む。一方、データ取得時間を経過していない場合には、カメラ８によって撮影された画像を用いた異常判定を行うために、ステップＳ５１へ進む。
【０１０６】
次に、ステップＳ４２では、データ取得時間が経過しているため、通信部５３の受信部５３ｂにおいて、データ収集中継器６の通信部６３の送信部６３ｂから６０分間分（正常であれば１０回分）のＣＴセンサ７による測定結果を取得する。
次に、ステップＳ４３では、異常判定部５６の受信データチェック部５６ｅにおいて、受信したＣＴセンサ７の測定結果の受信回数をチェックする。
【０１０７】
次に、ステップＳ４４では、受信データチェック部５６ｅにおいて確認した結果、受信回数が予め設定された所定回数分であるか否かを判定する。
具体的には、本実施形態では、異常判定部５６は、６０分間分に相当する測定結果のデータを取得する。そして、ＣＴセンサ７における電流値の測定は、６分おきに実施されている。よって、ＣＴセンサ７およびデータ収集中継器６、その間の通信状況が正常である場合には、６０分間で１０回分の測定結果のデータが含まれているはずである。
【０１０８】
ここで、ＣＴセンサ７における測定結果の受信回数が所定回数（１０回）である場合には、ステップＳ４５へ進む。一方、所定回数分ではない（１０回未満）場合には、ステップＳ４６へ進む。
次に、ステップＳ４５では、所定時間（６０分）内に所定回数（１０回）分のＣＴセンサ７における測定結果の受信があったことが確認されたため、異常発生なし（正常）と判定し、測定結果を管理ＤＢ５４へ保存して処理を終了する。
【０１０９】
一方、ステップＳ４６では、所定時間（６０分）内に所定回数（１０回）分のＣＴセンサ７における測定結果の受信がなかったことが確認されたため、異常発生有りと判定し、異常判定の情報（ログ）と測定結果とを、管理ＤＢ５４へ保存する。
次に、ステップＳ４７では、異常通知部５６ｄが、保守管理装置４１に対して、配電網１００（図２参照）における異常の発生を通知して、処理を終了する。
【０１１０】
一方、ステップＳ４１においてデータ取得時間を経過していない場合には、ステップＳ５１において、予め設定された異常判定時間を経過しているか否かを判定する。ここで、異常判定時間を経過するとステップＳ５２へ進む。一方、異常判定時間を経過していない場合には、ステップＳ４１へ戻る。
次に、ステップＳ５２では、異常判定時間を経過しているため、異常判定部５６の受信部５６ａにおいて、カメラ８から画像等のデータを取得したか否かを判定する。ここで、カメラ８から画像等のデータを取得している場合には、ステップＳ５４へ進む。一方、異常判定時間を経過しているにも関わらず、カメラ８から画像等のデータを取得できていない場合には、カメラ８、あるいはカメラ８と電力管理装置５１との間における通信障害等の異常の発生が考えられるため、ステップＳ５３へ進む。
【０１１１】
次に、ステップＳ５３では、異常判定時間を経過しているにも関わらず、カメラ８から画像等のデータを受信していない場合には、カメラ８の盗難、破壊、故障、あるいはカメラ８と電力管理装置５１との間における通信障害等の異常の発生があったと判定して、処理を終了する。
次に、ステップＳ５４では、異常判定時間を経過しており、カメラ８から画像等のデータを取得しているため、その直前に同じカメラ８によって撮影された最新画像を管理ＤＢ５４から取り出す。
【０１１２】
次に、ステップＳ５５では、カメラ８から取得した画像と、管理ＤＢ５４から取り出した最新画像とを照合する。
次に、ステップＳ５６では、照合部５６ｂにおいて２つの画像を比較して、画像中に含まれるデータ収集中継器６の外観に変化があるか否かを判定する。ここで、データ収集中継器６の外観に変化がある、すなわち外観に異常があると判定した場合には、ステップＳ５７へ進む。一方、データ収集中継器６の外観に変化がない、すなわち外観に異常がないと判定した場合には、ステップＳ５９へ進む。
【０１１３】
ここで、照合部５６ｂにおける判定では、データ収集中継器６の外観の変化の有無を判定する。具体的には、照合部５６ｂは、データ収集中継器６が画像中から消失していることを検出した場合には、データ収集中継器６の盗難、破壊等の異常ありと判定する。また、照合部５６ｂでは、データ収集中継器６が筐体内に設置されている場合には、その筐体の扉が開けられた状態になっていることを検出した場合には、データ収集中継器６の盗難、破壊等の異常ありと判定する。
【０１１４】
次に、ステップＳ５７では、カメラ８によって撮影された２枚の画像を比較した結果、データ収集中継器６の外観に変化があったことが検出されているため、データ収集中継器６に異常ありと判定する。
次に、ステップＳ５８では、２枚の画像を用いて異常ありと判定された結果を、異常通知部５６ｄから保守管理装置４１の異常受信部４１ｂへ通知して処理を終了する。
【０１１５】
次に、ステップＳ５９では、２枚の画像を用いた判定の結果、データ収集中継器６の外観に変化がなく異常なしと判定されているため、管理ＤＢ５４からＣＴセンサ７における測定結果を受信する。
次に、ステップＳ６０では、管理ＤＢ５４から受信した測定結果を用いて、データ収集中継器６からＣＴセンサ７における測定結果が受信されているか否かを判定する。ここで、データ収集中継器６から測定結果を受信している場合には、ステップＳ６１へ進む。一方、データ収集中継器６から測定結果を受信していない場合には、ステップＳ６２へ進む。
【０１１６】
次に、ステップＳ６１では、データ収集中継器６からＣＴセンサ７における測定結果が受信されているため、データ収集中継器６の異常はないものと判定し、管理ＤＢ５４にカメラ８の画像を最新のデータに更新して、処理を終了する。
次に、ステップＳ６２では、データ収集中継器６からＣＴセンサ７における測定結果が受信されていないため、データ収集中継器６に何らかの異常が発生しているものと判定し、保守管理装置４１に対して異常ありと通知して処理を終了する。
【０１１７】
本実施形態の配電網モニタリングシステム１では、以上の構成により、データ収集中継器６の近傍に配置されたカメラ８によって撮影された複数の画像を比較して、データ収集中継器６の外観の変化を検出した場合には、データ収集中継器６に異常が発生したものと判定する。
これにより、例えば、保守管理センタ４等へ異常の発生に関する情報を送信することで、データ収集中継器６に関する異常の発生を報知して、保守・管理を容易に行うことができる。
【０１１８】
また、本実施形態の配電網モニタリングシステム１では、ＣＴセンサ７における測定結果に関するデータの受信回数が所定の回数分あるか否かに応じて、ＣＴセンサ７、データ収集中継器６の盗難、破損、故障等の各種異常が発生しているか否かを判定する。
これにより、例えば、保守管理センタ４等へ異常の発生に関する情報を送信することで、ＣＴセンサ７が設置された配電網１００（図２参照）における異常の発生を報知して、保守・管理を容易に行うことができる。
【０１１９】
また、本実施形態の配電網モニタリングシステム１では、異常の判定を実施する際に、異常が発生したＣＴセンサ７に付された固有のＩＤ、そのＣＴセンサ７が接続されたデータ収集中継器６のＩＤ、ＣＴセンサ７が設置されたエリア情報等の情報に基づいて、異常が発生したおおよその位置を容易に特定することができる。
この結果、配電網１００において何らかの異常が発生した場合には、その位置の周辺を点検する等、従来よりも容易に配電網１００の保守・管理を行うことができる。
【０１２０】
［他の実施形態］
以上、本発明の一実施形態について説明したが、本発明は上記実施形態に限定されるものではなく、発明の要旨を逸脱しない範囲で種々の変更が可能である。
（Ａ）
上記実施形態では、ＣＴセンサ７およびデータ収集中継器６を含む配電網モニタリングシステム１に対して本発明を適用した例を挙げて説明した。しかし、本発明はこれに限定されるものではない。
【０１２１】
例えば、図１５に示すように、ＣＴセンサおよびデータ収集中継器を含まない配電網モニタリング装置１１として、本発明を実現してもよい。
具体的には、配電網モニタリング装置１１は、カメラ８から受信したデータ収集中継器６を含む画像と、データ収集中継器６から受信したＣＴセンサ７における測定結果とを用いて、配電網における異常の発生を検出する。
【０１２２】
これにより、上記実施形態１の配電網モニタリングシステム１と同様の効果を得ることができる。
（Ｂ）
上記実施形態では、電力管理装置５１の管理ＤＢ５４に保存される情報として、ＣＴセンサ７の位置情報を含まない例を挙げて説明した。しかし、本発明はこれに限定されるものではない。
【０１２３】
例えば、図１６（ａ）〜図１６（ｃ）に示すように、データ収集中継器、カメラおよびＣＴセンサの位置情報を示す位置コードが関連付けされた状態で、管理ＤＢ内に保存されていてもよい。
具体的には、図１６（ａ）に示すテーブルでは、各データ収集中継器に固有の中継器管理コードとこれに対応する位置情報（位置コード）とを示している。また、図１６（ｂ）に示すテーブルでは、各カメラに固有のカメラＩＤとこれに対応する位置情報（位置コード）とを示している。さらに、図１６（ｃ）に示すテーブルでは、ＣＴセンサが設置されているエリアコード、各ＣＴセンサに固有のＣＴセンサＩＤ、およびこれに対応する位置情報（位置コード）を示している。
【０１２４】
この場合には、管理ＤＢに保存された位置情報を参照することで、異常が生じたＣＴセンサ、データ収集中継器、およびの設置場所を容易に認識することができるため、保守管理装置から保守員に対して、異常発生の現場へ行くように指示することができる。
（Ｃ）
上記実施形態では、データ収集中継器６の近傍に配置されたカメラ８によって撮影された画像と、データ収集中継器６を介して受信したＣＴセンサ７における測定結果の受信回数とを用いて、配電網における異常の発生を検出する例を挙げて説明した。しかし、本発明はこれに限定されるものではない。
【０１２５】
例えば、データ収集中継器６の近傍に配置されたカメラ８によって撮影された画像のみを用いて、データ収集中継器の異常の発生を検出する構成であってもよい。
（Ｄ）
上記実施形態では、カメラ８によって撮影されたデータ収集中継器を含む画像を用いて、盗難、破壊、故障等のデータ収集中継器６の異常の発生を検出する例を挙げて説明した。しかし、本発明はこれに限定されるものではない。
【０１２６】
例えば、データ収集中継器だけでなく、ＣＴセンサを含む画像を用いて、ＣＴセンサの外観の変化を検出し、ＣＴセンサの盗難、破壊、故障等の異常の発生を検出してもよい。
あるいは、データ収集中継器の代わりに、ＣＴセンサだけを含む画像を用いて、ＣＴセンサの外観の変化を検出し、ＣＴセンサの盗難、破壊、故障等の異常の発生を検出してもよい。
【０１２７】
（Ｅ）
上記実施形態では、カメラ８によって撮影された画像のデータが、カメラ８から直接、電力管理装置５１の異常判定部５６に対して送信される例を挙げて説明した。しかし、本発明はこれに限定されるものではない。
例えば、カメラからデータ収集中継器等を介して、間接的に、電力管理装置の異常判定部に対して画像データを送信してもよい。
【０１２８】
（Ｆ）
上記実施形態では、異常判定部５６が、カメラ８によって撮影され管理ＤＢ５４に保存された最新の画像と、受信部５６ａを介してカメラ８から受信した画像という２枚の画像を比較して、データ収集中継器６の異常の有無を検出する例を挙げて説明した。しかし、本発明はこれに限定されるものではない。
【０１２９】
例えば、異常判定部における異常判定に、３枚以上の画像を用いてもよい。
この場合には、時系列でデータ収集中継器の外観の変化をより正確に検出することができるため、さらに精度よくデータ収集中継器の異常の発生を検出することができる。
（Ｇ）
上記実施形態では、ＣＴセンサ７において測定された電流値から実効値を算出し、実効値を測定結果に関するデータとして、データ収集中継器６を介して、電力管理装置５１へと送信する例を挙げて説明した。しかし、本発明はこれに限定されるものではない。
【０１３０】
例えば、電流値、電圧値等、実効値以外の電気的測定の結果を、測定結果に関するデータとして用いてもよい。
（Ｈ）
上記実施形態では、電力管理装置５１の異常判定部５６において、６０分間におけるＣＴセンサ７の測定結果の取得回数が１０回あるか否かに応じて、配電網１００における異常の有無を検出する例を挙げて説明した。しかし、本発明はこれに限定されるものではない。
【０１３１】
例えば、異常判定に用いられる所定時間は、６０分に限定されるものではなく、例えば、１０分、３０分等のように６０分より短い時間に設定されていてもよい。あるいは、３時間、６時間、１２時間、２４時間のように、６０分よりも長い時間に設定されていてもよい。
また、異常判定に用いられる所定回数は、６０分間に１０回に限定されるものではなく、例えば、１０分間に２回、３０分間に３回等のように設定時間に応じて適切な回数が設定されていてもよい。あるいは、３時間、６時間、１２時間、２４時間のように、６０分よりも長い時間が所定時間である場合には、２０回、３０回等、１０回よりも多い回数に設定されていてもよい。
【０１３２】
（Ｉ）
上記実施形態では、電力管理装置５１の異常判定部５６において、異常発生と判定された場合には、異常通知部５６ｄを介して保守管理センタ４へ異常発生を知らせる情報を送信し、保守管理センタ４内の表示部４２に異常発生を知らせる文字情報を表示させる例を挙げて説明した。しかし、本発明はこれに限定されるものではない。
【０１３３】
例えば、異常発生時における報知の方法としては、保守管理センタ４の表示部４２に文字情報を表示させる以外に、警報音を発生させる、保守管理を行う作業者の携帯端末等へメールを送信する等、他の報知手段を採用してもよい。
（Ｊ）
上記実施形態では、複数のＣＴセンサ７とデータ収集中継器６との間、データ収集中継器６と電力管理装置５１との間、およびカメラ８と電力管理装置５１との間の通信として、無線通信を用いた例を挙げて説明した。しかし、本発明はこれに限定されるものではない。
【０１３４】
例えば、有線通信によって、複数のＣＴセンサ７とデータ収集中継器６との間、および／またはデータ収集中継器６と電力管理装置５１との間、および／またはカメラ８と電力管理装置５１との間、の通信を行ってもよい。
（Ｋ）
上記実施形態では、配電網を構成する配電線（電力線）の電流値を測定するための測定器として、給電部７２等を有するＣＴセンサ７を用いた例を挙げて説明した。しかし、本発明はこれに限定されるものではない。
【０１３５】
例えば、電源部を有する電流センサ等、他の測定器を用いてもよい。
（Ｌ）
上記実施形態では、配電網１００を構成する配電線（電力線）１０３〜１０６の電流値を測定するＣＴセンサ７を用いた例を挙げて説明した。しかし、本発明はこれに限定されるものではない。
【０１３６】
例えば、測定器において実施される電気的測定は、電流値の測定に限らず、電圧値等のように他の電気的測定を実施してもよい。
【産業上の利用可能性】
【０１３７】
本発明の配電網モニタリングシステムは、電流センサおよびデータ収集中継器が取り付けられた電力線を含む配電網における異常の発生を効果的に検出することができるという効果を奏することから、各種配電網を管理するシステムに対して広く適用可能である。
【符号の説明】
【０１３８】
１      配電網モニタリングシステム
２      第１電力管理センタ
３      第２電力管理センタ
４      保守管理センタ
５      電力管理センタ
６，６ａ，６ｂ  データ収集中継器
７，７ａ〜７ｇ  ＣＴセンサ（測定器）
８，８ａ，８ｂ  カメラ（撮像部）
１０      配電網システム
１１      配電網モニタリング装置
２１      第１電力管理装置
２２      管理ＤＢ
２３      表示部
３１      第２電力管理装置
３２      管理ＤＢ
３３      表示部
４１      保守管理装置
４１ａ    表示制御部
４１ｂ    異常受信部
４２      表示部
５１      電力管理装置
５２      表示部
５３      通信部
５３ａ    送信部
５３ｂ    受信部
５４      管理ＤＢ（記憶部）
５５      通信部
５５ａ    送信部
５５ｂ    受信部
５６      異常判定部（異常検知部）
５６ａ    受信部
５６ｂ    照合部
５６ｃ    更新部
５６ｄ    異常通知部（報知部）
５６ｅ    受信データチェック部
５６ｆ    画像取得部
６１      通信部
６１ａ    受信部
６２      管理ＤＢ
６３      通信部
６３ａ    受信部
６３ｂ    送信部
７１      計測部
７２      給電部
７３      送信部
７４      設定部
８１      撮像部
８２      送信部
８３      受信部
８４      設定部
１００    配電網
１０１，１０２  電柱
１０３，１０４，１０５，１０６  配電線（電力線）
１０７    家屋
【図１】
2018157630.tif 000003
【図２】
2018157630.tif 000004
【図３】
2018157630.tif 000005
【図４】
2018157630.tif 000006
【図５】
2018157630.tif 000007
【図６】
2018157630.tif 000008
【図７】
2018157630.tif 000009
【図８】
2018157630.tif 000010
【図９】
2018157630.tif 000011
【図１０】
2018157630.tif 000012
【図１１】
2018157630.tif 000013
【図１２】
2018157630.tif 000014
【図１３】
2018157630.tif 000015
【図１４】
2018157630.tif 000016
【図１５】
2018157630.tif 000017
【図１６】
2018157630.tif 000018